(57)【要約】      （修正有）【課題】壁面に吊り下げる際に、デザインの自由性を持たせるようにしたアートパネルを提供する。【解決手段】菱形などのように対角線を中心に左右対称に形成されたパネル本体２と、そのパネル本体２の裏面のコーナー近傍に設けられる係止部とを備えるようにする。この係止部としては、対角線に対して直交する方向にリング状の部材を配置し、しかも、そのリング状の部材をパネル本体２の裏面から起立させるようにする。そして一点の係止部で吊り下げることにより、菱形形状などのように吊り下げ、一方二点の係止部で吊り下げることにより、平行四辺形となるように吊り下げてアート作品を見せられるようにする。【選択図】図１
2015027392.tif 000002
【特許請求の範囲】
【請求項１】
対角線を中心に左右対称に形成されたパネル本体と、
そのパネル本体の裏面のコーナー近傍に設けられる係止部と、
を備え、
隣接する２つの係止部もしくは１つの係止部を用いて壁面に係止させることによって、パネル本体の角度を変えた状態で壁面に係止させられるようにしたことを特徴とするアートパネル。
【請求項２】
前記パネル本体が、正方形、菱形、三角形をなすものであり、
前記パネル本体の隣接する２つの係止部を用いて壁面に係止させることにより、上辺もしくは下辺が水平となるように装飾させ、
前記パネル本体の一つの係止部を用いて壁面に係止させることにより、各辺が斜めの辺となるように装飾させるようにした請求項１に記載のアートパネル。
【請求項３】
前記係止部が、回転中心に対して点対称となるような形状に設けられた請求項１に記載のアートパネル。
【発明の詳細な説明】
【技術分野】
【０００１】
本発明は、絵画やタペストリーなどのアート作品を壁面に掛けられるようにしたアートパネルに関するものである。
【背景技術】
【０００２】
従来より、壁面に絵画などのアート作品を吊り下げられるようにしたアートパネルが各種提案されており、例えば、下記の特許文献１には、本体裏面のコーナー近傍に紐を通す孔を設け、その紐を裏面板の孔から通すとともに、短手方向に隣接する紐を結束させることによって、パネル本体を縦長方向に吊り下げられるようにし、また、長手方向に隣接する紐を結束させることによって、パネル本体を横長方向に吊り下げられるようにしたアートパネルが提案されている。このような構造のものを用いれば、絵画や写真などの方向に応じてアートパネルの方向を選んで壁面に吊り下げることができるようになる。
【先行技術文献】
【特許文献】
【０００３】
【特許文献１】登録実用新案第３１３６９１１号公報
【発明の概要】
【発明が解決しようとする課題】
【０００４】
しかしながら、このように縦長方向と横長方向に吊り下げるだけの構造では、例えば、斜め方向に撮られた写真やアート作品を展示するような場合、そのパネル本体を斜め方向に吊り下げることができず、デザインの自由性がなくなる。
【０００５】
また、斜め方向に撮られた写真だけでなく、方向性のない図形などのアート作品を吊り下げる場合においても、その角度によって大きくイメージが大きく変わるため、好みに応じた角度で壁面に吊り下げたい場合もある。
【０００６】
そこで、本発明は、壁面に吊り下げる際に、デザインの自由性を持たせるようにしたアートパネルを提供することを目的とする。
【課題を解決するための手段】
【０００７】
すなわち、本発明は上記課題を解決するために、対角線を中心に左右対称に形成されたパネル本体と、そのパネル本体の裏面のコーナー近傍に設けられる係止部とを備え、隣接する２つの係止部もしくは１つの係止部を用いて壁面に係止させることによって、パネル本体の角度を変えた状態で壁面に係止させられるようにしたものである。
【０００８】
このようにすれば、パネル本体が対角線を中心に左右対称に形成されているため、パネル本体をコーナーの一点で支持した場合であっても、デザイン的な見栄えをよくすることができる。
【０００９】
具体的には、このようなパネル本体として、正方形、菱形、三角形をなすものを用い、パネル本体の隣接する２つの係止部を用いて壁面に係止させることにより、上辺もしくは下辺が水平となるように装飾させ、パネル本体の一つの係止部を用いて壁面に係止させることにより、斜めの辺が存在するように装飾させるようにする。
【００１０】
また、前記係止部として、回転中心に対して点対称となるような形状に設けるようにする。
【００１１】
このようにすれば、パネル本体を回転させた状態で吊り下げる際、係止部を壁面のフックなどに係止させやすくすることができる。
【発明の効果】
【００１２】
本発明によれば、対角線を中心に左右対称に形成されたパネル本体と、そのパネル本体の裏面のコーナー近傍に設けられる係止部とを備え、隣接する２つの係止部もしくは１つの係止部を用いて壁面に係止させることによって、パネル本体の角度を変えた状態で壁面に係止させられるようにしたので、パネル本体をコーナーの一点で支持した場合であっても、デザイン的な見栄えをよくすることができる。
【図面の簡単な説明】
【００１３】
【図１】本発明の一実施の形態におけるアートパネルの正面図
【図２】同形態におけるアートパネルの裏面を示す図
【図３】同形態における係止部の拡大図
【図４】他の実施の形態におけるアートパネルを示す図
【図５】他の実施の形態におけるアートパネルを示す図
【発明を実施するための形態】
【００１４】
以下、本発明の一実施の形態について図面を参照して説明する。
【００１５】
この実施の形態におけるアートパネル１は、図１などに示すように、写真や絵画、タペストリーなどを始めとするアート作品３を壁面に異なる角度で吊り下げられるようにしたものであって、対角線を中心に左右対称形状を有するパネル本体２と、図２や図３などに示すように、そのパネル本体２の裏面のコーナー近傍に設けられる係止部４とを備え、隣接する二つの係止部４もしくは一つの係止部４を用いて壁面に係止させることにより、パネル本体２の角度を、縦方向、横方向、斜め方向などといった角度で壁面に吊り下げられるようにしたものである。以下、本発明の一実施の形態について詳細に説明する。
【００１６】
まず、パネル本体２は、対角線を中心に左右対称形状をなすように形成されており、例えば、図１に示すような菱形形状だけでなく、図４や図５に示すような、正方形状、三角形状などのような形状に形成されている。そして、その表面側には、アート作品３が視認できるように装飾されており、裏面側のコーナー近傍には係止部４が設けられている。
【００１７】
このパネル本体２の裏面側に設けられる係止部４は、壁面に設けられた図示しないフックに係止させることによって、壁面に吊り下げられるように構成されている。この係止部４としては、図３に示すように、リング状の部材４１を固定部４２で構成し、これによって一つの係止部４を用いて縦長の菱形形状もしくは横長の菱形形状（図１（ａ）（ｂ））に壁面から吊り下げられるようにするとともに、隣接する二つの係止部４を用いて壁面から吊り下げることによって平行四辺形となるようにパネル本体２を吊り下げられるようにしている（図１（ｃ））。また、図４の正方形状をなすパネル本体２の場合は、一つの係止部４で吊り下げることにより、菱形形状となるようにし（図４（ａ））、一方、隣接する二つの係止部４を用いて吊り下げることにより、正方形状となるように吊り下げられるようにしている（図４（ｂ））。また、図５のような二等辺三角形状（正三角形状）の場合は、一つの係止部４で吊り下げることにより頂点が上側に位置する三角形状となるようにし（図５（ａ））、隣接する二つの係止部４を用いて吊り下げることにより、逆三角形状となるように吊り下げられるようにしている（図５（ｂ））。
【００１８】
ここで、この係止部４を設ける場合、コーナーでの一点支持と、隣接する二点支持の両方を吊り下げられるように、パネル本体２の対角中心に対して点対称となるようにリング状の部材４１を設け、これに壁面に設けられたフックに係止できるようにしている。また、パネル本体２を壁面に係止させる際には、フックによって上端部分のパネル本体２が壁面から離間してしまい、下端部分が壁面に密着するように傾斜してしまうが、係止部４をパネル本体２の裏面からリング状の部材４１を起立させるとともに、そのリング状の部材４１に可撓性を持たせることによって吊り下げ時のクッション性を持たせている。この可撓性の部材としては、帯状の布、太い紐、合成樹脂などを用い、これによってパネル本体２の下端部分などが壁面に接触する際に、その可撓性部材でクッション性を持たせて壁面からの距離を均一にできるようにする。これによって、パネル本体２を壁面と平行な状態にして壁面から吊り下げることができるようにすることができる。
【００１９】
また、この係止部４を設ける場合、一点支持でパネル本体２を吊り下げる際には、その係止部４をフックに係止させやすいように、対角線に対して直角となるようにリング状の部材４１を配置し、しかも、裏面から起立させるようにする（図３参照）。すると、この対角中心に対して直角をなす係止部４にフックを引っ掛け易くなり、しかも、隣接する係止部４に紐などを掛けてフックで吊り下げる際には、係止部４が斜めに向いているため、紐を掛けた際に、係止部４を無理に変形させることがなくなる。
【００２０】
次に、このように構成されたアートパネル１を使用する際の状態について説明する。
【００２１】
まず、パネル本体２を一点支持で吊り下げる場合は、コーナーのいずれかに設けられた係止部４にフックを掛ける（図１（ａ）、図２（ａ））。このとき係止部４は、対角線に対して直角となるように点対称に設けられているため、リング状の部材４１でのフックの位置が対角線上に位置することになり、そのままパネル本体２を自重で吊り下げた場合であっても、パネル本体２の重心鉛直方向の位置からずれることがない。
【００２２】
また、菱形形状をなすパネル本体２の異なるコーナーで一点支持する場合についても同様に（図１（ｂ）、図２（ｂ））、対角線に対して直角となる方向にリング状の部材４１が設けられているため、リング状の部材４１でのフックの一が対角線上に位置することになり、そのままパネル本体２を自重で吊り下げた場合でも、パネル本体２の重心鉛直方向の位置からずれることがない。
【００２３】
一方、パネル本体２の隣接する二点で支持する場合（図１（ｃ）、図２（ｃ））、両方の係止部４にフックを係止させて吊り下げるようにする。もしくは、隣接する係止部４のリング状の部材４１に紐を掛け渡して、フックで吊り下げられるようにする。
【００２４】
また、このようにパネル本体２を壁面に吊り下げる際には、フックに係止されていない他のリング状の部材４１で壁面と離間させるため、全体的にパネル本体２を壁面と平行な状態となるようにして壁面から吊り下げることができる。
【００２５】
このように上記実施の形態によれば、対角線を中心に左右対称に形成されたパネル本体２と、そのパネル本体２の裏面のコーナー近傍に設けられる係止部４とを備え、隣接する２つの係止部４もしくは１つの係止部４を用いて壁面に係止させることにより、パネル本体２の角度を変えた状態で壁面に係止させられるようにしたので、パネル本体２をコーナーの一点で支持した場合であっても、デザイン的な見栄えをよくすることができる。
【００２６】
具体的には、このようなパネル本体２として、菱形をなすものを用い、パネル本体２の隣接する２つの係止部４を用いて壁面に係止させることにより、上辺もしくは下辺が水平となるように装飾させ、パネル本体２の一つの係止部４を用いて壁面に係止させることにより、各辺が斜めの辺となるように装飾させるようにしたので、一点の係止部４を用いて吊り下げた場合であっても、左右対称な自然な形状に見せることができる。
【００２７】
また、前記係止部４として、回転中心に対して点対称となるように設け、具体的には、回転中心から対角線上に直角となるように係止部４を設けるようにしたので、パネル本体２を回転させた状態で吊り下げる際、係止部４を壁面のフックなどに係止させやすくすることができる。
【００２８】
なお、本発明は上記実施の形態に限定されることなく、種々の態様で実施することができる。
【００２９】
例えば、上記実施の形態では、菱形や正方形、三角形をなすようなパネル本体２を用いて説明したが、回転角度によって形状が変化するようなものとして、星形などの形状を用いてもよい。ただし、この場合であっても、見栄えをよくするためには、対角線を中心に左右対称となるような形状としておくようにする。
【００３０】
また、上記実施の形態では、裏面の係止部４として、可撓性部材で構成された係止部４を用い、これを裏面から起立させるようにしたが、これ以外に、裏面の法線方向を中心として回転可能な係止部４を用いて壁面のフックに係止させるようにしてもよい。
【符号の説明】
【００３１】
１・・・アートパネル
２・・・パネル本体
３・・・アート作品
４・・・係止部
４１・・・リング状の部材
４２・・・固定部
【図１】
2015027392.tif 000003
【図２】
2015027392.tif 000004
【図３】
2015027392.tif 000005
【図４】
2015027392.tif 000006
【図５】
2015027392.tif 000007